(57)【要約】【課題】  防犯性を向上させることができる開閉装置を提供する。【解決手段】  開口部を形成する枠体と、当該開口部を開閉させるドア体と、前記ドア体を施錠する鍵機構部とを有する開閉装置であって、個別に識別可能な識別情報を記憶する携帯情報端末から当該識別情報を無線によって読み取る読み取り装置と、前記読み取り装置によって読み取りされた識別情報と鍵ＩＤとを照合し、一致する場合に前記鍵機構部を開錠させる制御部とを有し、前記読み取り装置が前記ドア体または前記ドア体近傍の室内側にて移動可能に設けられる。【選択図】    図１
2007046290.tif 000002
【特許請求の範囲】
【請求項１】
開口部を形成する枠体と、当該開口部を開閉させるドア体と、前記ドア体を施錠する鍵機構部とを有する開閉装置であって、
個別に識別可能な識別情報を記憶する携帯情報端末から当該識別情報を無線によって読み取る読み取り装置と、
前記読み取り装置によって読み取りされた識別情報と鍵ＩＤとを照合し、一致する場合に前記鍵機構部を開錠させる制御部とを有し、
前記読み取り装置が前記ドア体または前記ドア体近傍の室内側にて移動可能に設けられることを特徴とする開閉装置。
【請求項２】
前記鍵機構部は、前記ドア体の外周に沿って移動可能に設けられること特徴とする請求項１記載の開閉装置。
【請求項３】
前記読取装置は、前記扉または外壁の外装部材によってカバーされていることを特徴とする請求項１または請求項２記載の開閉装置。
【発明の詳細な説明】
【技術分野】
【０００１】
本発明は、携帯情報端末に記憶された情報を読み取って照合してドアを解錠する開閉装置に関する。
【背景技術】
【０００２】
従来から玄関や部屋の出入口に設けられる扉を解錠するために、様々な鍵の仕組みが提案されている。そのひとつに、ＩＣチップが内蔵されたＩＣカードを扉の近傍に設けられたカードリーダに近づけ、ＩＣチップに記憶された情報を利用して認証を行うことによって、扉を解錠するシステムがある。
【特許文献１】特開平８−４２２１０号公報
【発明の開示】
【発明が解決しようとする課題】
【０００３】
しかしながら、上述した従来技術によれば、カードリーダに対し、悪意ある第三者によってカードリーダ部分が破壊・いたずらされる可能性があるので、防犯性を向上させることが望ましい。
また、カードリーダ部の位置と扉のレバーの位置とから、鍵の機構部の位置が推測されやすいため、扉と枠の隙間からこじ開けられ侵入されてしまうことを防止することが望ましい。
【０００４】
本発明は、このような事情に鑑みてなされたもので、その目的は、防犯性を向上させることができる開閉装置を提供することにある。
【課題を解決するための手段】
【０００５】
上述した課題を解決するために、本発明は、開口部を形成する枠体と、当該開口部を開閉させるドア体と、前記ドア体を施錠する鍵機構部とを有する開閉装置であって、個別に識別可能な識別情報を記憶する携帯情報端末から当該識別情報を無線によって読み取る読み取り装置と、前記読み取り装置によって読み取りされた識別情報と鍵ＩＤとを照合し、一致する場合に前記鍵機構部を開錠させる制御部とを有し、前記読み取り装置が前記ドア体または前記ドア体近傍の室内側にて移動可能に設けられることを特徴とする。
【０００６】
また、本発明は、上述した開閉装置において、前記鍵機構部は、前記ドア体の外周に沿って移動可能に設けられること特徴とする。
また、本発明は、上述した開閉装置においてね前記読取装置は、前記扉または外壁の外装部材によってカバーされていることを特徴とする。
【発明の効果】
【０００７】
以上説明したように、この発明によれば、読取装置の位置を外部から把握しにくくすることができるので、読取装置に対するいたずらや破壊等を防止することができ、防犯性を向上させることができる。
また、本発明によれば、鍵のラッチの位置を把握しにくくすることができるので、こじ開けなどがしにくい構造とすることができる。
また、本発明によれば、携帯情報端末に記憶された識別情報が偽造された場合であっても、悪意ある第三者に対し読み取り装置の位置を特定しにくくすることができるので、解錠されてしまうことを防止することができる。
【発明を実施するための最良の形態】
【０００８】
以下、本発明の一実施形態による開閉装置について図面を参照して説明する。
図１は、この発明の一実施形態による開閉装置の構成を示す外観図である。
この図において、開閉装置は、ドア１、枠体２、ラッチ部７、リーダライタ３とを有する。ドア１は、把手８が設けられ、枠体２に開閉可能に取り付けられる。このドア１には、ここでは、開き戸式の扉である場合について説明するが、引き戸式であっても良い。枠体２は、室内と室外の開口部を形成しており、ラッチ部７のラッチが挿入される溝が設けられており、このラッチが当該溝に進退せしめることにより、解錠、施錠が可能である。
【０００９】
ラッチ部７は、リーダライタ３から出力される情報に基づいて照合を行う解錠制御装置に連結されており、この制御装置からの指示に基づいて、ラッチを進退せしめることにより、ドア１を施錠・解錠する。この解錠制御装置の詳細は後述する。
リーダライタ３は、通信可能な範囲内に近接された携帯電話５と通信を行い、当該携帯電話５に記憶された識別情報を読み出し、読み出した識別情報を解錠制御装置に出力する。この図においては、リーダライタ３は、ドア１の室内側に設置されており、外部からは、ドア１の外装部材１’によってカバーされており、視認することがでないようになっている。つまり、ドア１の外装部材１’がリーダライタ３のカバーを兼ねている。ここで、リーダライタ３は、符号ａに示すように、壁６の室内側に設置することも可能ある。この場合においても壁６の外装部材１’によって視認できない。
【００１０】
上述の外装部材１’は、携帯情報端末と読み取り装置とが通信可能な部材によって構成され、例えば、アクリル板、木質系素材、等が適用可能である。ここでは、携帯情報端末と読み取り装置とが通信を行う部分について金属製ではない部材が用いられていればよい。
【００１１】
携帯情報端末の一例としての携帯電話５は、無線によってリーダライタ３と通信を行うＩＣチップを搭載した端末である。このＩＣチップには、ＩＣチップを個別に識別するための識別情報が記憶されている。このICチップの一例としては、Ｆｅｌｉｃａ（登録商標）がある。この実施形態においては、携帯情報端末として携帯電話５ではなく、ＩＣチップを搭載したＩＣカードにすることも可能である。
【００１２】
次に、上述の開閉装置を図２を用いてさらに説明する。図２（ａ）は、ドア１の内部構成を説明するための図面である。ドア１は、室外側に外装材が設けられ、室内側に点検用扉１０が設けられ、この点検用扉１０を開けることにより、ドア１内部に設けられる制御装置１００、リーダライタ３をドア１内部において、設置位置を移動させることが可能である。
ここでは、ドア１の内部に、取付部材２００、２０１がドア１内部に平行に設けられており、この取付部材２００、２０１に沿ってリーダライタ３、制御装置１００を上下に移動させることが可能である。また、この取付部材２００、２０１には、それぞれ孔２００ａ、２００ｂが複数箇所に設けられている。また、リーダライタ３、制御装置１００にも取り付け孔が例えば装置の四隅に設けられており、この取り付け孔と孔２００a、２００ｂをねじなどの固定部材で固定される。ここでは、ねじを外してリーダライタ３、制御装置１００を固定されていた位置とは異なる高さに移動させて再度固定部材で固定することにより、リーダライタ３の位置を任意の位置に変更することが可能である。また、制御装置１００が上側、リーダライタ３が下側である場合について図示しているが、制御装置１００と下側、リーダライタ３を上側に交換することも可能である。さらにまた、制御装置１００を移動させず、リーダライタ３のみ移動させて位置を変更してもよい。また、リーダライタ３と制御装置１００は、通信線によって接続されており、この通信線は、制御装置１００とリーダライタ３とをドア１の内部側において最も離れた位置に固定した距離に応じて長さが設定されている。
【００１３】
ラッチ部７は、制御装置１００に取り付けられるが、ラッチ部７を受ける溝は、枠体２のドア１側の周縁に所定の位置あるいは全体に渡って設けられており、制御装置１００が移動しても、ラッチ部７と溝が対応し、施錠・解錠が可能である。
【００１４】
図２（ｂ）は、ドア１の外観の一例を示す図面である。この図に示すように、ドア１の室内側において制御装置１００、リーダライタ３の取り付け位置が変更されても、これらの取り付け位置は、ドア１の外装部材によって室外側からは視認できない。
このように、室外側に設けられた点検用扉１０を開けてリーダライタ３を任意の位置に変更可能としたので、リーダライタ３の設置位置は、居住者が把握可能であり、第三者にとっては特定しにくい。これに対し、居住者は、自身がリーダライタ３の位置を決定して移動させ取り付けているので、外部から視認できなくても、その位置を特定し、携帯電話５を近づけることによって、ドア１を解錠することが可能である。
【００１５】
なお、リーダライタ３をドア１に取り付けるのではなく、枠体２の近傍の壁６の室内側に取り付けるようにすることにより、第三者によって、リーダライタ３の位置をさらに特定しにくいものとすることができる。なお、リーダライタ３を壁６の室内側に設ける場合には、ドア１に取り付けた場合と同様に、孔が設けられた取付部材を壁６の室内側に配置してリーダライタ３を取り付けるようにすることが可能である。この場合、制御装置１００とリーダライタ３とは、無線あるいは有線にて接続される。有線にて接続する場合には、例えば、壁６の室内側にて、ドア１と枠体とを接続する回転軸の内部を通し、制御装置１００と接続するようにしてもよい。
【００１６】
なお、この実施形態において、ラッチ部７は、枠体２の垂直方向に対して進退するようにしてもよく、また、枠体２の水平方向に対して進退するようにしてもよい。つまり、ドア１の上面部、あるいは下面部の枠体２に溝を設けておき、この溝に向かって進退するようにしてもよい。
【００１７】
次に、第２の実施形態について図３を用いて説明する。この図３（ａ）は、開閉装置を室外側から見た外観図である。この図において、リーダライタ３は、リーダライタ収容部３００の内部に上下方向に移動可能に設けられる。リーダライタ収容部３００は、枠体２の室内側に取り付けられており、リーダライタ３の位置が視認できないようになっている。図３（ｂ）は、開閉装置の上面図である。
【００１８】
図３（ｃ）は、ドア１の内部側からみた外観図である。ここでは、リーダライタ３をリーダライタ収容部３００内においての位置を変更するつまみ３１０が設けられる。また、リーダライタ３の高さを確認するための窓３２０が設けられる。つまみ３１０が室内側に設けられているので、居住者がリーダライタ３の位置を変更してその位置を把握することができるが、室外側の第三者は、リーダライタ３の位置の変更および視認ができない。
【００１９】
次に、図４を用いて、リーダライタ収容部３００についてさらに説明する。ここでは、部材３２１と部材３２２とがワイヤーロープ３２０によって無端状に連結されている。リーダライタ３は、ワイヤーロープ３２０の一部に介挿され連結されている。リーダライタ３とワイヤーロープ３２０との連結には、弾性部部材３２３を介して連結されている。また、リーダライタ３には、孔が設けられた支持部材３ａ、３ｂが取り付けられており、この孔にワイヤーロープ３２０を通すことにより、リーダライタ３の上下移動を補助している。
【００２０】
図４（ｂ）、（ｄ）は、リーダライタ収容部３００の上面図、図４（ｃ）は、リーダライタ収容部３００の側面図である。この図に示すように、部材３２１につまみ３１０が連結されており、このつまみ３１０を回転させることにより、部材３２１が回転して、ワイヤーロープ３２０が連動することによって、リーダライタ３の位置を上下に移動させることが可能である。
【００２１】
次に、本発明の一実施形態による制御装置１００について図面を参照して説明する。図５は、この発明の一実施形態による開閉装置に適用される自動扉施錠システムの機能構成を示す概略ブロック図である。この図において、自動扉施錠システムは、鍵制御ボード２ａがＬＡＮ（ローカルエリアネットワーク）等のネットワーク８００を介してサーバ１ａ接続されるとともに、携帯電話５に対して通信を行うリーダライタ３と、電子錠施錠装置４０とに接続される。
【００２２】
サーバ１ａは、ネットワーク８００を介して入居者端末６ａと管理端末７ａとに接続される。このサーバ１ａは、ＩＣチップに記憶されたＩＤコードならびに顧客データ等が記憶されたＩＤ情報データベースを一元的に管理するデータ管理部１１、遠隔に自動扉施錠システムが保有するメモリ内のデータを書き換えるデータ書き換え部１２、入居者端末６ａに対して各種情報を送信する通信部１３、各種情報を記憶するデータベース１４を有する。
【００２３】
データベース１４は、ＩＤ情報データベースと、解錠した履歴を記憶する解錠履歴データベースと、装置に異常が発生した履歴を記憶する装置異常記録データベースとによって構成される。ＩＤ情報データベースには、例えば、錠の解錠が可能な鍵となるＩＤコード、解錠する対象の扉を特定するための扉ＩＤ（例えば、マンション名と部屋番号との組み合わせの情報）、ＩＤコードの有効期間、所有者名称、電子メールアドレス、携帯電話の電話番号などが対応付けられて記憶される。このＩＤ情報は、入居者以外に、管理会社の端末、管理人の端末に対してＩＤコードを割り当てておき、解錠可能にしてもよい。この場合、管理会社の端末には有効期限を設けず、管理人の端末に有効期限を設けるようにしてもよい。
【００２４】
鍵制御ボード２ａは、シリアルポートを有し、このシリアルポートにリーダライタ３がシリアル接続されるとともに、Ｉ／Ｏポートを有し、このＩ／Ｏポートに例えば、ＲＳ−２３２Ｃなどのインタフェースを介して電子錠施錠装置４０が接続される。この鍵制御ボード２ａは、必要に応じて交換可能であり、例えば、改良型の鍵制御ボードに交換する場合、電子錠施錠装置４０はそのままに設置しておき、鍵制御ボードの部分のみ交換することが可能である。なお、必要に応じてリーダライタも交換可能である。
【００２５】
この鍵制御ボード２ａにおいて、ネットワーク関連機能部２１は、ネットワーク８００に接続され、サーバ１ａと各種情報の通信を行う。この接続は、ＬＡＮ接続であってもよい。
メモリ２２（第１の鍵情報記憶部に相当）は、錠の解錠が可能な鍵の識別番号を鍵ＩＤとして記憶する。また、メモリ２２は、解錠および施錠を行った履歴をＩＤコードと対応付けてログ情報として記憶する。外部Ｒ／Ｗ制御エンジン部２３は、リーダライタ３から出力されるデータをメインアプリケーション部２４に出力し、メインアプリケーション部２４から出力されるデータをリーダライタ３に出力する。メインアプリケーション部２４は、各部を制御する（詳細は後述する）。このメインアプリケーション部２４は、適宜更新することによりアップデートが可能である。
【００２６】
鍵制御機能部２５は、メインアプリケーション部２４から出力されるＩＤコードに一致する鍵ＩＤがメモリ２２に記憶されているか否かを検索する機能と、この検索結果に基づいて、ＩＤコードに一致する鍵ＩＤがメモリ２２から検索された場合に、電子錠施錠装置４０に解錠の指示を出力する機能とを有する。また、鍵制御機能部２５は、自身の鍵制御ボード２ａの制御対象となる電子錠施錠装置４０を解錠させるＩＤコードをメモリ２２に書き込む。この書き込みは、携帯電話５、サーバ１ａ、入居者端末６ａ等からの指示に基づいて書き換えが可能である。
【００２７】
リーダライタ３は、外壁と同じ素材で仕上げる、あるいは、外壁部材の室内側または扉の外面部材の室内側に設けられる。これにより、外部から視認されにくくなり、いたずらや侵入防止を図ることが可能である。携帯電話５のＩＣチップに記憶されたＩＤコードを読み出して、外部Ｒ／Ｗ制御エンジン部２３を介してメインアプリケーション部２４に出力する機能と、外部Ｒ／Ｗ制御エンジン部２３を介して出力されるメインアプリケーション部２４からの指示に応じた制御信号を出力する。この鍵制御ボード２ａとリーダライタ３との組み合わせが自動扉施錠制御装置２０に相当する。
【００２８】
電子錠施錠装置４０は、施錠・解錠する対象となる扉やドア等に設けられ、鍵制御ボード２ａからの解錠の指示または外部に設けられる２ボタン式入力部から入力される情報に基づいて、錠を解錠する。電子錠施錠装置４０は、解錠した後、所定の時間が経過した後、あるいは、扉が一旦開き、閉になった場合に施錠する。この電子錠施錠装置４０は、例えば、特願平１０−２５９３５１の自動扉施錠システムを適用することも可能である。
【００２９】
次に、上述した図５の構成における自動扉施錠システムについて、図６を用いてさらに説明する。図６は、自動扉施錠システムの構成を示す概略ブロック図である。この図において、自動扉施錠制御装置２０は、ネットワーク装置２１０、入力インタフェース２２０、フラッシュＲＯＭ２３０、ＣＰＵ（中央処理装置）２４０、ＲＡＭ２５０、出力インタフェース２６０、電子錠制御コントローラ２７０、リーダライタ３、ＲＴＣ２８０、ＡＣ−ＤＣコンバータ２９０によって構成され、フラッシュＲＯＭ２３０やＲＡＭ２５０に記憶されたプログラムを読み出してＣＰＵ２４０が実行することにより、図５におけるネットワーク関連機能部２１、外部Ｒ／Ｗ制御エンジン部２３、メインアプリケーション部２４、鍵制御機能部２５の機能を実現する。ここでは、フラッシュＲＯＭ２３０が図５のメモリ２２に相当する。また、自動扉施錠制御装置２０は、電源部２６からＡＣ−ＤＣコンバータ２９０を介して交流から直流に変換され供給される電源によって駆動する。この電源部２６としては、例えば、商用電源が利用される。
【００３０】
電子錠施錠装置４０において、制御部は、ＣＰＵ（中央演算装置）４５と、ＲＯＭ４６と、ＲＡＭ４７と、入力インタフェース４８と、出力インタフェース４９とから構成される。入力インタフェース４８には、２ボタン式入力部２７と、解錠スイッチ４４と、不良閉扉状態検知センサの一例である閉扉検知センサ５０とが接続される。ここで、閉扉検知センサ５０は、扉が完全に閉状態になっているか否かを検知する機能を有し、閉状態になっていない場合に不良閉扉状態通報手段の一例である不良閉扉ブザー５２によって不良閉扉状態を通報する。出力インタフェース４９には、扉施錠機構１５と、開扉通報手段の一例である解錠音発生装置５３と、不良閉扉ブザー５２が接続される。閉扉検知センサ５０は、例えば、扉の前面の上方部と対峙する壁の中に埋設された状態で取付けられている。
また、電子錠施錠装置４０は、単一の電源部４１から供給される電源によって、受信機１８、２ボタン式入力部２７、解錠スイッチ４４、閉扉検知センサ５０、扉施錠機構１５、不良閉扉ブザー５２、解錠音発生装置５３に給電可能に構成されている。 この電源部４１としては、例えば、乾電池などの蓄電池が適用される。
【００３１】
扉施錠機構１５は、例えば、開閉する扉の室内側面に設けられるプランジャ係止孔に対し、電子錠施錠装置に設けられるプランジャを進退せしめることにより、施錠・解錠を行い、扉に設けられたドアノブを回すことによって扉を開閉させることが可能である。また、室内側面に設けられた係止部材と、電子錠施錠装置に設けられる係止部材とを電磁的に結合・開放することによって施錠・解錠を行うように構成することも可能である。この扉施錠機構１５の位置は、変更可能である。例えば、ラッチ部分を外部から認識できない構造にしたり、扉の外周面に沿って移動可能に設け所定の期間毎に位置を変更するようにしたり、設置個数を複数設けるようにしてもよい。これにより、ラッチが外部から破壊されてしまうことを防止することができる。
【００３２】
２ボタン式入力部２７は、２個のボタンから情報を入力するものであり、例えば、「０」と「１」のボタンが設けられ、解錠するための数桁（１４桁等）のコード（入力情報）を入力することが可能である。この入力されたコードとＲＯＭ４６またはＲＡＭ４７に記憶されたコードとが一致するか否かをＣＰＵ４５によって検出し、一致している場合に解錠することによって、自動扉施錠制御装置２０が電源供給停止などの非常事態において応急的に対応することも可能である。
【００３３】
また、上述した実施形態において、電源部２６から自動扉施錠制御装置２０への電源の供給が停止された場合、別途独立して設けられた電源部４１から電子錠施錠装置４０に電源が供給されているので、２ボタン式入力部からＩＤコードに相当する番号を２つのボタンを利用して暗証番号を入力することによって、電子錠施錠装置４０を解錠させることも可能である。これにより、自動扉施錠制御装置２０に対する電源供給が停止した非常時においても、扉を解錠することが可能である。
【００３４】
なお、上述した実施形態において、扉は玄関である場合について説明したが、マンション等の集合住宅である場合には、エントランスの扉にも適用することが可能である。また、扉は、解錠状態になることにより、ドアノブを持って開く場合について説明したが、引き戸に適用するようにしてもよく、また、ＩＤコードが一致した場合に解錠状態となり、ドアも開く自動ドアタイプに適用することも可能である。
【００３５】
また、上述した実施形態において、数桁（１４桁等）のコードを２ボタン式入力部２７から入力して解錠する場合について説明したが、このコードの入力は、２ボタン式入力部２７に限られるものではなく、入力部としてボタン数が１のものであってもよく、また、３以上のものであってもよい。
【００３６】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００３７】
【図１】この発明の一実施形態による開閉装置の構成を示す外観図である。
【図２】開閉装置について説明するための図面である。
【図３】第２の実施形態における開閉装置について説明するための図面である。
【図４】リーダライタ収容部３００についてさらに説明する。
【図５】開閉装置に適用される自動扉施錠システムの機能構成を示す概略ブロック図である。
【図６】図５の構成における自動扉施錠システムについて説明するための図面である。
【符号の説明】
【００３８】
１  ドア
２  枠体
３  リーダライタ
５  携帯電話
７  ラッチ部
【図１】
2007046290.tif 000003
【図２】
2007046290.tif 000004
【図３】
2007046290.tif 000005
【図４】
2007046290.tif 000006
【図５】
2007046290.tif 000007
【図６】
2007046290.tif 000008